(57)【要約】【課題】本発明は、固定位置とコネクタ嵌合部の位置及び方向を任意に設定可能として利用性の良好な中継コネクタに関する。【解決手段】中継コネクタ１は、ハーネス３０、３１のコネクタ３２、３３が着脱可能に挿入される１対のコネクタ嵌合部３、４間を相互に接続する配線が行われているコネクタ本体２に、取付脚部５が形成されており、取付脚部５の先端部に、中継コネクタ１を固定する固定板４０の係止穴４１に進入するとともに係止穴４１を貫通する位置で固定板４０に係止する係止頭６が形成されていて、取付脚部５の係止頭６よりもコネクタ本体２側に、固定板４０に当接して係止頭６とともに固定板４０を挟み込んで固定させるストッパー７、８が形成されており、ストッパー７、８に、少なくとも取付脚部５の係止頭６が係止穴４１を貫通する位置で所定の音を発生する発音部１２が形成されている。【選択図】          図１
2005267892.tif 000002
【特許請求の範囲】
【請求項１】
対となるハーネスの接続端部に接続されたコネクタが着脱可能に挿入されるコネクタ嵌合部が少なくとも１対形成され当該対となるコネクタ嵌合部間を相互に接続する配線が行われているコネクタ本体部と、当該コネクタ本体部から所定長さにわたって棒状に突出する状態で形成され、その先端部に当該中継コネクタを固定する固定対象板に形成されている固定穴に進入するとともに当該固定穴を貫通する位置で当該固定対象板に係止する係止頭の形成されている取付脚部と、当該取付脚部の前記係止頭よりも所定量だけ前記コネクタ本体部側に形成され、少なくとも当該取付脚部の前記係止頭が前記固定穴を貫通する位置で所定の音を発生する音発生部を有するとともに、前記固定対象板に当接して当該取付脚部の進入を停止させて当該係止頭とともに前記固定対象板を挟み込んで固定させるストッパー部と、を備えていることを特徴とする中継コネクタ。
【請求項２】
前記中継コネクタは、前記コネクタ本体部に、複数対のハーネスの端部に接続された複数対のコネクタが着脱可能に挿入される複数対のコネクタ嵌合部が形成され、当該対となるコネクタ嵌合部間を相互に接続する配線が行われていることを特徴とする請求項１記載の中継コネクタ。
【請求項３】
前記中継コネクタは、前記コネクタ本体部に、前記対となる一方側のハーネスの数と他方側のハーネスの数が異なる当該ハーネスの端部に接続された前記コネクタの挿入されるコネクタ嵌合部が形成され、当該対となる数の異なるコネクタ嵌合部間をディジー接続する配線が行われていることを特徴とする請求項１記載の中継コネクタ。
【請求項４】
前記ストッパー部は、前記取付脚部の前記固定対象板の前記固定穴への進入に伴って当該固定対象板が当接することで伸縮する中空の伸縮部と、所定の弾性を有し前記固定対象板の前記固定穴への前記取付脚部の進入を停止させるストッパー本体部と、前記伸縮部の中空内部と外部を連通して当該伸縮部の伸縮に応じて当該中空内部と外部との空気の流れを可能とするとともに当該空気の流れに伴って前記音を発生させる音発生部と、を備えていることを特徴とする請求項１から請求項３のいずれかに記載の中継コネクタ。
【発明の詳細な説明】
【技術分野】
【０００１】
本発明は、中継コネクタに関し、詳細には、固定位置とコネクタ嵌合部の位置及び方向を任意に設定可能として利用性の良好な中継コネクタに関する。
【背景技術】
【０００２】
プリンタ、複写装置、ファクシミリ装置、パーソナルコンピュータ等の各種電気機器においては、基板間、基板と電子部品、基板や電子部品と外部端子等との間の電気配線は、直接ハーネス等で接続するだけでなく、当該基板、電子部品、外部端子等に接続されたハーネスにコネクタを接続して、当該コネクタとコネクタを中継コネクタを介して接続することが行われている。
【０００３】
このような中継コネクタは、従来、中継コネクタを固定して使用する場合には、いわゆるパネルマウント方式が用いられている。このパネルマウント方式の中継コネクタは、コネクタの挿入される一対のコネクタ嵌合部が背中合わせとなる逆対向状態で形成されて、当該一対のコネクタ嵌合部の中間部に、板金に係合する係止爪部が形成されている。この係止爪部の形成されている中継コネクタを、当該中継コネクタが挿入可能な程度の穴の空けられた板金の当該穴に押し込んで、当該穴の途中まで中継コネクタを押し込むことで、係止爪部を板金にロックさせて中継コネクタを板金に固定し、この固定した中継コネクタのコネクタ嵌合部にハーネスのコネクタを挿入して、固定した状態の中継コネクタでハーネス間の接続を中継する（特許文献１、特許文献２、特許文献３等参照）。
【０００４】
【特許文献１】特開平１１−１３３７７４号公報
【特許文献２】特開２００１−２１０４３３号公報
【特許文献３】実開平６−５１５６号公報
【発明の開示】
【発明が解決しようとする課題】
【０００５】
しかしながら、上記従来の固定するタイプの中継コネクタにあっては、ハーネスのコネクタを挿入するコネクタ嵌合部が、当該中継コネクタを固定する板金を挟んで板金の両面側に分かれて形成されているため、中継コネクタを固定して使用できる場所が限定されるだけでなく、コネクタ嵌合部の位置及び方向が固定され、利用性が悪いという問題があった。
【０００６】
そこで、請求項１記載の発明は、対となるハーネスの接続端部に接続されたコネクタが着脱可能に挿入されるコネクタ嵌合部が少なくとも１対形成され当該対となるコネクタ嵌合部間を相互に接続する配線が行われているコネクタ本体部に、所定長さにわたって棒状に突出する状態で取付脚部を形成し、当該取付脚部の先端部に、当該中継コネクタを固定する固定対象板に形成されている固定穴に進入するとともに当該固定穴を貫通する位置で当該固定対象板に係止する係止頭を形成して、当該取付脚部の係止頭よりも所定量だけコネクタ本体部側に、固定対象板に当接して当該取付脚部の進入を停止させて当該係止頭とともに固定対象板を挟み込んで固定させるストッパー部を形成し、当該ストッパー部に、少なくとも当該取付脚部の係止頭が固定穴を貫通する位置で所定の音を発生する音発生部を形成することにより、ハーネスを中継する位置の固定対象板に係止頭に対応した固定穴を形成するだけで、中継コネクタを固定してハーネスを接続するとともに、固定対象板の固定穴への固定を音発生部の発生する音で確認し、また、任意の位置で任意の方向からハーネスのコネクタをコネクタ嵌合部に挿入し、利用性の良好な中継コネクタを提供することを目的としている。
【０００７】
請求項２記載の発明は、コネクタ本体部に、複数対のハーネスの端部に接続された複数対のコネクタが着脱可能に挿入される複数対のコネクタ嵌合部を形成し、当該対となるコネクタ嵌合部間を相互に接続する配線を行うことにより、ハーネスを中継する位置の固定対象板に係止頭に対応した固定穴を形成するだけで、中継コネクタを固定して複数対のハーネスを接続するとともに、固定対象板の固定穴への固定を音発生部の発生する音で確認し、また、任意の位置で任意の方向から複数対のハーネスのコネクタをコネクタ嵌合部に挿入し、より一層利用性の良好な中継コネクタを提供することを目的としている。
【０００８】
請求項３記載の発明は、コネクタ本体部に、対となる一方側のハーネスの数と他方側のハーネスの数が異なる当該ハーネスの端部に接続されたコネクタの挿入されるコネクタ嵌合部を形成し、当該対となる数の異なるコネクタ嵌合部間をディジー接続する配線を行うことにより、ハーネスを中継する位置の固定対象板に係止頭に対応した固定穴を形成するだけで、中継コネクタを固定して複数のハーネスをディジー接続するとともに、固定対象板の固定穴への固定を音発生部の発生する音で確認し、また、任意の位置で任意の方向から複数対のハーネスのコネクタをコネクタ嵌合部に挿入し、より一層利用性の良好な中継コネクタを提供することを目的としている。
【０００９】
請求項４記載の発明は、ストッパー部を、取付脚部の固定対象板の固定穴への進入に伴って当該固定対象板が当接することで伸縮する中空の伸縮部と、所定の弾性を有し固定対象板の固定穴への取付脚部の進入を停止させるストッパー本体部と、伸縮部の中空内部と外部を連通して当該伸縮部の伸縮に応じて当該中空内部と外部との空気の流れを可能とするとともに当該空気の流れに伴って音を発生させる音発生部と、を備えたものとすることにより、簡単な構成で、ストッパー機能と音発生機能を持たせ、安価で利用性の良好な中継コネクタを提供することを目的としている。
【課題を解決するための手段】
【００１０】
請求項１記載の発明の中継コネクタは、対となるハーネスの接続端部に接続されたコネクタが着脱可能に挿入されるコネクタ嵌合部が少なくとも１対形成され当該対となるコネクタ嵌合部間を相互に接続する配線が行われているコネクタ本体部と、当該コネクタ本体部から所定長さにわたって棒状に突出する状態で形成され、その先端部に当該中継コネクタを固定する固定対象板に形成されている固定穴に進入するとともに当該固定穴を貫通する位置で当該固定対象板に係止する係止頭の形成されている取付脚部と、当該取付脚部の前記係止頭よりも所定量だけ前記コネクタ本体部側に形成され、少なくとも当該取付脚部の前記係止頭が前記固定穴を貫通する位置で所定の音を発生する音発生部を有するとともに、前記固定対象板に当接して当該取付脚部の進入を停止させて当該係止頭とともに前記固定対象板を挟み込んで固定させるストッパー部と、を備えていることにより、上記目的を達成している。
【００１１】
この場合、例えば、請求項２に記載するように、前記中継コネクタは、前記コネクタ本体部に、複数対のハーネスの端部に接続された複数対のコネクタが着脱可能に挿入される複数対のコネクタ嵌合部が形成され、当該対となるコネクタ嵌合部間を相互に接続する配線が行われているものであってもよい。
【００１２】
また、例えば、請求項３に記載するように、前記中継コネクタは、前記コネクタ本体部に、前記対となる一方側のハーネスの数と他方側のハーネスの数が異なる当該ハーネスの端部に接続された前記コネクタの挿入されるコネクタ嵌合部が形成され、当該対となる数の異なるコネクタ嵌合部間をディジー接続する配線が行われているものであってもよい。
【００１３】
さらに、例えば、請求項４に記載するように、前記ストッパー部は、前記取付脚部の前記固定対象板の前記固定穴への進入に伴って当該固定対象板が当接することで伸縮する中空の伸縮部と、所定の弾性を有し前記固定対象板の前記固定穴への前記取付脚部の進入を停止させるストッパー本体部と、前記伸縮部の中空内部と外部を連通して当該伸縮部の伸縮に応じて当該中空内部と外部との空気の流れを可能とするとともに当該空気の流れに伴って前記音を発生させる音発生部と、を備えているものであってもよい。
【発明の効果】
【００１４】
請求項１記載の発明の中継コネクタによれば、対となるハーネスの接続端部に接続されたコネクタが着脱可能に挿入されるコネクタ嵌合部が少なくとも１対形成され当該対となるコネクタ嵌合部間を相互に接続する配線が行われているコネクタ本体部に、所定長さにわたって棒状に突出する状態で取付脚部を形成し、当該取付脚部の先端部に、当該中継コネクタを固定する固定対象板に形成されている固定穴に進入するとともに当該固定穴を貫通する位置で当該固定対象板に係止する係止頭を形成して、当該取付脚部の係止頭よりも所定量だけコネクタ本体部側に、固定対象板に当接して当該取付脚部の進入を停止させて当該係止頭とともに固定対象板を挟み込んで固定させるストッパー部を形成し、当該ストッパー部に、少なくとも当該取付脚部の係止頭が固定穴を貫通する位置で所定の音を発生する音発生部を形成しているので、ハーネスを中継する位置の固定対象板に係止頭に対応した固定穴を形成するだけで、中継コネクタを固定してハーネスを接続することができるとともに、固定対象板の固定穴への固定を音発生部の発生する音で確認することができ、また、任意の位置で任意の方向からハーネスのコネクタをコネクタ嵌合部に挿入することができ、利用性の良好を向上させることができる。
【００１５】
請求項２記載の発明の中継コネクタによれば、コネクタ本体部に、複数対のハーネスの端部に接続された複数対のコネクタが着脱可能に挿入される複数対のコネクタ嵌合部を形成し、当該対となるコネクタ嵌合部間を相互に接続する配線を行うので、ハーネスを中継する位置の固定対象板に係止頭に対応した固定穴を形成するだけで、中継コネクタを固定して複数対のハーネスを接続することができるとともに、固定対象板の固定穴への固定を音発生部の発生する音で確認することができ、また、任意の位置で任意の方向から複数対のハーネスのコネクタをコネクタ嵌合部に挿入することができ、より一層利用性を向上させることができる。
【００１６】
請求項３記載の発明の中継コネクタによれば、コネクタ本体部に、対となる一方側のハーネスの数と他方側のハーネスの数が異なる当該ハーネスの端部に接続されたコネクタの挿入されるコネクタ嵌合部を形成し、当該対となる数の異なるコネクタ嵌合部間をディジー接続する配線を行うので、ハーネスを中継する位置の固定対象板に係止頭に対応した固定穴を形成するだけで、中継コネクタを固定して複数のハーネスをディジー接続することができるとともに、固定対象板の固定穴への固定を音発生部の発生する音で確認することができ、また、任意の位置で任意の方向から複数対のハーネスのコネクタをコネクタ嵌合部に挿入することができ、より一層利用性を向上させることができる。
【００１７】
請求項４記載の発明の中継コネクタによれば、ストッパー部を、取付脚部の固定対象板の固定穴への進入に伴って当該固定対象板が当接することで伸縮する中空の伸縮部と、所定の弾性を有し固定対象板の固定穴への取付脚部の進入を停止させるストッパー本体部と、伸縮部の中空内部と外部を連通して当該伸縮部の伸縮に応じて当該中空内部と外部との空気の流れを可能とするとともに当該空気の流れに伴って音を発生させる音発生部と、を備えたものとしているので、簡単な構成で、ストッパー機能と音発生機能を持たせることができ、安価なものとすることができるとともに、利用性を向上させることができる。
【発明を実施するための最良の形態】
【００１８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１９】
図１及び図２は、本発明の中継コネクタの第１実施例を示す図であり、図１は、本発明の中継コネクタの第１実施例を適用した中継コネクタ１の斜視図である。
【００２０】
図１において、中継コネクタ１は、略四角筒形状のコネクタ本体（コネクタ本体部）２の相対向する開口側の面に、一対のコネクタ嵌合部３、４が形成されており、コネクタ本体２の下面には、当該下面に直交する方向に所定長さで延在する取付脚部５が形成されている。
【００２１】
コネクタ本体２のコネクタ嵌合部３及びコネクタ嵌合部４には、基板、電子部品、外部端子等に接続され、相互に接続するハーネス３０とハーネス３１に接続された、コネクタ３２及びコネクタ３３が着脱可能に挿入される。
【００２２】
このコネクタ嵌合部３及びコネクタ嵌合部４には、それぞれ相対向する位置にコネクタピン２０が配設されており、各対応するコネクタピン２０は、当該コネクタ嵌合部３及びコネクタ嵌合部４に挿入されるコネクタ３２及びコネクタ３３の相対向するハーネスの配線を接続する状態で図示しない接続線が配線されている。
【００２３】
当該取付脚部５の先端部には、抜け防止用の係止部を有する係止頭６が形成されており、係止頭６は、機器の基板や板金等の固定板（固定対象板）４０に形成された係止穴（固定穴）４１に挿入される。
【００２４】
また、中継コネクタ１の取付脚部５には、係止頭６よりも所定量コネクタ本体２側の位置に、当該取付脚部５を挟んで相対向する位置に一対のストッパー（ストッパー部）７、８が形成されており、ストッパー７、８は、図２に示すように、取付脚部５に連結されているストッパー板部（ストッパー本体）１０と、当該ストッパー板部１０の下面に係止頭６の方向に延在して、所定の収縮性を有する部材で形成され内部が空洞に形成されているストッパー収縮部（伸縮部）１１が形成されている。ストッパー板部１０には、ストッパー収縮部１１の内部の空洞と外部とを連通して、ストッパー収縮部１１の収縮／膨張に応じてストッパー収縮部１１内の空気の排出／供給を行うとともに、当該空気の流れに応じて所定のストッパー音を発生する発音部（音発生部）１２が形成されている。
【００２５】
上記ストッパー７、８は、上記係止頭６のストッパー７、８側の端部との間隔が、中継コネクタ１を取り付ける固定板４０の係止穴４１に係止頭６を当該係止頭６のストッパー７、８側の端部が当該係止穴４１を通過するまで挿入した際に、当該係止頭６のストッパー７、８側の端部とストッパー７、８のストッパー収縮部１１とで当該固定板４０を挟み込んで中継コネクタ１を適切に保持する間隔に形成されている。
【００２６】
次に、本実施例の作用を説明する。本実施例の中継コネクタ１は、機器の基板や板金等の固定板４０に中継コネクタ１の取り付け用の係止穴４１が形成され、当該係止穴４１に、中継コネクタ１の取付脚部５の係止頭６を押し込んで当該係止穴４１に挿入する。
【００２７】
中継コネクタ１は、さらに、取付脚部５が固定板４０方向に押し込まれると、固定板４０の差し込み側の面にストッパー７、８のストッパー収縮部１１が押されて、ストッパー収縮部１１が収縮を開始した状態で、取付脚部５の係止頭６が固定板４０の係止穴４１を通過して、ストッパー収縮部１１内の空気が発音部１２を通過して外部に抜け、このストッパー収縮部１１内の空気が発音部１２を通過して外部に抜ける際に音を発生させる。
【００２８】
したがって、このストッパー収縮部１１による発音があると、取付脚部５の係止頭６が固定板４０の係止穴４１を通過して、中継コネクタ１が係止状態となったことを当該発音で確認することができる。
【００２９】
このようにして中継コネクタ１が固定板４０に固定された状態で、中継コネクタ１のコネクタ嵌合部３及びコネクタ嵌合部４に、中継接続するハーネス３０とハーネス３１のコネクタ３２及びコネクタ３３を挿入して嵌合させる。コネクタ嵌合部３及びコネクタ嵌合部４に、コネクタ３２及びコネクタ３３が挿入されて嵌合されると、中継コネクタ１は、そのコネクタピン２０及び内部の図示しない接続線で、コネクタ嵌合部３及びコネクタ嵌合部４に挿入されたコネクタ３２及びコネクタ３３の相対向するハーネス３０、３１の配線を接続する。
【００３０】
このように、本実施例の中継コネクタ１は、対となるハーネス３０、３１の接続端部に接続されたコネクタ３２、３３が着脱可能に挿入されるコネクタ嵌合部３、４が少なくとも１対形成され当該対となるコネクタ嵌合部３、４間を相互に接続する配線が行われているコネクタ本体（コネクタ本体部）２に、所定長さにわたって棒状に突出する状態で取付脚部５を形成し、取付脚部５の先端部に、中継コネクタ１を固定する固定板（固定対象板）４０に形成されている係止穴（固定穴）４１に進入するとともに係止穴４１を貫通する位置で固定板４０に係止する係止頭６を形成して、取付脚部５の係止頭６よりも所定量だけコネクタ本体２側に、固定板４０に当接して取付脚部５の進入を停止させて係止頭６とともに固定板４０を挟み込んで固定させるストッパー（ストッパー部）７、８を形成し、ストッパー７、８に、少なくとも取付脚部５の係止頭６が係止穴４１を貫通する位置で所定の音を発生する発音部（音発生部）１２を形成している。
【００３１】
したがって、ハーネス３０、３１を中継する位置の固定板４０に係止頭６に対応した係止穴４１を形成するだけで、中継コネクタ１を固定してハーネス３０、３１を接続することができるとともに、固定板４０の係止穴４１への固定を発音部１２の発生する音で確認することができ、また、任意の位置で任意の方向からハーネス３０、３１のコネクタ３２、３３をコネクタ嵌合部３、４に挿入することができ、利用性の良好を向上させることができる。
【００３２】
また、本実施例の中継コネクタ１は、ストッパー７、８を、取付脚部５の固定板４０の係止穴４１への進入に伴って固定板４０が当接することで伸縮する中空のストッパー収縮部（伸縮部）１１と、所定の弾性を有し固定板４０の係止穴４１への取付脚部５の進入を停止させるストッパー板部（ストッパー本体部）１０と、ストッパー収縮部１１の中空内部と外部を連通してストッパー収縮部１１の伸縮に応じて中空内部と外部との空気の流れを可能とするとともに当該空気の流れに伴って音を発生させる発音部（音発生部）１２と、を備えたものとしている。
【００３３】
したがって、簡単な構成で、ストッパー機能と音発生機能を持たせ、中継コネクタ１を安価なものとすることができるとともに、利用性を向上させることができる。
【実施例２】
【００３４】
図３及び図４は、本発明の中継コネクタの第２実施例を示す図であり、図３は、本発明の中継コネクタの第２実施例を適用した中継コネクタ５０の斜視図である。
【００３５】
なお、本実施例は、上記第１実施例の中継コネクタ１と同様の中継コネクタに適用したものであり、上記第１実施例の中継コネクタ１と同様の構成部分には、同一の符号を付してその詳細な説明を省略する。
【００３６】
図３において、中継コネクタ５０は、その略四角筒形状のコネクタ本体（コネクタ本体部）５１の下面に、当該下面に直交する方向に所定長さで延在する取付脚部５が形成されており、取付脚部５には、その先端部に係止頭６が形成され、係止頭６よりもコネクタ本体５１側にストッパー７、８が形成されている。
【００３７】
中継コネクタ５０は、そのコネクタ本体５１の相対向する開口側の面に、それぞれ相対向する２対のコネクタ嵌合部５２とコネクタ嵌合部５３及びコネクタ嵌合部５４とコネクタ嵌合部５５が形成されている。
【００３８】
そして、図４に示すように、コネクタ嵌合部５２とコネクタ嵌合部５３は、その相対向する位置のコネクタピン５２ｐとコネクタピン５３ｐがそれぞれ接続線５６で接続されており、また、コネクタ嵌合部５４とコネクタ嵌合部５５は、その相対向する位置のコネクタピン５４ｐとコネクタピン５５ｐがそれぞれ接続線５７で接続されている。
【００３９】
そして、コネクタ嵌合部５２とコネクタ嵌合部５３には、図３に示すように、接続すべきハーネス６０とハーネス６１に接続されているコネクタ６２とコネクタ６３が挿入され、コネクタ嵌合部５４とコネクタ嵌合部５５には、接続すべきハーネス６４とハーネス６５に接続されているコネクタ６６とコネクタ６７が挿入される。
【００４０】
次に、本実施例の作用を説明する。本実施例の中継コネクタ５０は、機器の基板や板金等の固定板４０に中継コネクタ５０の取り付け用の係止穴４１が形成され、当該係止穴４１に、中継コネクタ５０の取付脚部５の係止頭６を押し込んで当該係止穴４１に挿入する。
【００４１】
中継コネクタ５０は、さらに、取付脚部５が固定板４０方向に押し込まれると、固定板４０の差し込み側の面にストッパー７、８のストッパー収縮部１１が押されて、ストッパー収縮部１１が収縮を開始した状態で、取付脚部５の係止頭６が固定板４０の係止穴４１を通過して、ストッパー収縮部１１内の空気が発音部１２を通過して外部に抜け、このストッパー収縮部１１内の空気が発音部１２を通過して外部に抜ける際に音を発生させる。
【００４２】
したがって、このストッパー収縮部１１による発音があると、取付脚部５の係止頭６が固定板４０の係止穴４１を通過して、中継コネクタ５０が係止状態となったことを当該発音で確認することができる。
【００４３】
このようにして中継コネクタ５０が固定板４０に固定された状態で、中継コネクタ５０のコネクタ嵌合部５２とコネクタ嵌合部５３及びコネクタ嵌合部５４とコネクタ嵌合部５５に、中継接続するハーネス６０のコネクタ６２とハーネス６１のコネクタ６３及び中継接続するハーネス６４のコネクタ６６とハーネス６５のコネクタ６７を挿入して嵌合させる。コネクタ嵌合部５２とコネクタ嵌合部５３に、コネクタ６２とコネクタ６３が挿入されて嵌合されると、中継コネクタ５０は、そのコネクタピン５２ｐ、５３ｐ及び接続線５６で、コネクタ嵌合部５２とコネクタ嵌合部５３に挿入されたコネクタ６２とコネクタ６３の相対向するハーネス６０とハーネス６１の配線を接続する。また、コネクタ嵌合部５４とコネクタ嵌合部５５に、コネクタ６６とコネクタ６７が挿入されて嵌合されると、中継コネクタ５０は、そのコネクタピン５４ｐ、５５ｐ及び接続線５７で、コネクタ嵌合部５４とコネクタ嵌合部５５に挿入されたコネクタ６６とコネクタ６７の相対向するハーネス６４とハーネス６５の配線を接続する。
【００４４】
なお、上記説明では、中継コネクタ５０のコネクタ本体５１の相対向する面に、２個ずつ２対のコネクタ嵌合部５２〜５５を形成しているが、コネクタ嵌合部は、２対（４個）に限るものではなく、さらに多くのコネクタ嵌合部、例えば、３対（６個）、４対（８個）等のコネクタ嵌合部を形成してもよい。
【００４５】
このように、本実施例の中継コネクタ５０は、コネクタ本体５１に、複数対のハーネス６０、６１、６４、６５の端部に接続された複数対のコネクタ６２、６３、６６、６７が着脱可能に挿入される複数対のコネクタ嵌合部５２、５３、５４、５５を形成し、当該対となるコネクタ嵌合部５２〜５５間を相互に接続する配線をコネクタピン５２ｐ〜５５ｐ及び接続線５６、５７で行っている。
【００４６】
したがって、ハーネス６０、６１、６４、６５を中継する位置の固定板４０に係止頭６に対応した係止穴４１を形成するだけで、中継コネクタ５０を固定して複数対のハーネス６０、６１、６４、６５を接続するとともに、固定板４０の係止穴４１への固定を発音部１２の発生する音で確認し、また、任意の位置で任意の方向から複数対のハーネス６０、６１、６４、６５のコネクタ６２、６３、６６、６７をコネクタ嵌合部５２、５３、５４、５５に挿入することができ、利用性の良好を向上させることができる。
【実施例３】
【００４７】
図５及び図６は、本発明の中継コネクタの第３実施例を示す図であり、図５は、本発明の中継コネクタの第３実施例を適用した中継コネクタ７０の斜視図である。
【００４８】
なお、本実施例は、上記第１実施例の中継コネクタ１と同様の中継コネクタに適用したものであり、上記第１実施例の中継コネクタ１と同様の構成部分には、同一の符号を付してその詳細な説明を省略する。
【００４９】
図５において、中継コネクタ７０は、その略四角筒形状のコネクタ本体（コネクタ本体部）７１の下面に、当該下面に直交する方向に所定長さで延在する取付脚部５が形成されており、取付脚部５には、その先端部に係止頭６が形成され、係止頭６よりもコネクタ本体７１側にストッパー７、８が形成されている。
【００５０】
中継コネクタ７０は、そのコネクタ本体７１の相対向する開口側の一方側の面に、１個のコネクタ嵌合部７２が形成され、開口側の反対側の面に、２個のコネクタ嵌合部７３とコネクタ嵌合部７４が形成されている。
【００５１】
そして、図６に示すように、コネクタ嵌合部７２及びコネクタ嵌合部７３とコネクタ嵌合部７４には、それぞれ同数のコネクタピン７２ｐ、７３ｐ、７４ｐが形成されており、コネクタ嵌合部７２のコネクタピン７２ｐは、それぞれ相対応する位置のコネクタ嵌合部７３のコネクタピン７３ｐ及びコネクタ嵌合部７４のコネクタピン７４ｐに接続線７５で接続されている。すなわち、コネクタ嵌合部７２のコネクタピン７２ｐとコネクタ嵌合部７３のコネクタピン７３ｐ及びコネクタ嵌合部７４のコネクタピン７４ｐは、ディジー接続されている。
【００５２】
そして、コネクタ嵌合部７２及びコネクタ嵌合部７３とコネクタ嵌合部７４には、図５に示すように、接続すべきハーネス８０及びハーネス８１とハーネス８２に接続されているコネクタ８３及びコネクタ８４とコネクタ８５が挿入される。
【００５３】
次に、本実施例の作用を説明する。本実施例の中継コネクタ７０は、機器の基板や板金等の固定板４０に中継コネクタ７０の取り付け用の係止穴４１が形成され、当該係止穴４１に、中継コネクタ７０の取付脚部５の係止頭６を押し込んで当該係止穴４１に挿入する。
【００５４】
中継コネクタ７０は、さらに、取付脚部５が固定板４０方向に押し込まれると、固定板４０の差し込み側の面にストッパー７、８のストッパー収縮部１１が押されて、ストッパー収縮部１１が収縮を開始した状態で、取付脚部５の係止頭６が固定板４０の係止穴４１を通過して、ストッパー収縮部１１内の空気が発音部１２を通過して外部に抜け、このストッパー収縮部１１内の空気が発音部１２を通過して外部に抜ける際に音を発生させる。  したがって、このストッパー収縮部１１による発音があると、取付脚部５の係止頭６が固定板４０の係止穴４１を通過して、中継コネクタ７０が係止状態となったことを当該発音で確認することができる。
【００５５】
このようにして中継コネクタ７０が固定板４０に固定された状態で、中継コネクタ７０のコネクタ嵌合部８３及びコネクタ嵌合部８４とコネクタ嵌合部８５に、中継接続するハーネス８０のコネクタ８３及びハーネス８１のコネクタ８４とハーネス８２のコネクタ８５を挿入して嵌合させる。コネクタ嵌合部７２及びコネクタ嵌合部７３とコネクタ嵌合部７４に、コネクタ８３及びコネクタ８４とコネクタ８５が挿入されて嵌合されると、中継コネクタ７０は、そのコネクタピン７２ｐ、７３ｐ、７４ｐ及び接続線７５で、コネクタ嵌合部７２に挿入されたコネクタ８３と、コネクタ嵌合部７３に挿入されたコネクタ８４及びコネクタ嵌合部７４に挿入されたコネクタ８５の相対応するハーネスの配線を接続する。
【００５６】
なお、本実施例の中継コネクタ７０は、コネクタ本体７１の一方側に、１個のハーネス８０のコネクタ８３を嵌合する１個のコネクタ嵌合部７２が形成され、コネクタ本体７１の他方側に、２個のハーネス８１、８２のコネクタ８４、８５を嵌合する２個のコネクタ嵌合部７３、７４が形成されて、当該１個のハーネス８０と２個のハーネス８１、８２をディジー接続しているが、一方側と他方側のハーネスの数、すなわち、コネクタ嵌合部の数は、一方側と他方側のハーネスの数が異なるディジー接続関係であれば、その数は問題ではなく、適宜設定することができる。
【００５７】
このように、本実施例の中継コネクタ７０は、コネクタ本体７１に、対となる一方側のハーネス８０の数と他方側のハーネス８１、８２の数が異なるハーネス８０、８１、８２の端部に接続されたコネクタ８３、８４、８５の挿入されるコネクタ嵌合部７２、７３、７４を形成し、当該対となる数の異なるコネクタ嵌合部７２、７３、７４間をディジー接続する配線を接続線７５で行っている。
【００５８】
したがって、ハーネス８０、８１、８２を中継する位置の固定板４０に係止頭６に対応した係止穴４１を形成するだけで、中継コネクタ７０を固定して複数のハーネス８０、８１、８２をディジー接続するとともに、固定板４０の係止穴４１への固定を発音部１２の発生する音で確認し、また、任意の位置で任意の方向から複数対のハーネス８０、８１、８２のコネクタ８３、８４、８５をコネクタ嵌合部７２、７３、７４に挿入することができ、より一層利用性を向上させることができる。
【００５９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６０】
固定位置とコネクタ嵌合部の位置及び方向を任意に設定可能とすることで、プリンタ、ファクシミリ装置、パーソナルコンピュータ等の各種電気機器の任意の位置で任意の方向からハーネスを接続できるようにして、利用性の良好な中継コネクタに適用することができる。
【図面の簡単な説明】
【００６１】
【図１】本発明の中継コネクタの第１実施例を適用した中継コネクタの斜視図。
【図２】図１の中継コネクタのストッパーの拡大斜視図。
【図３】本発明の中継コネクタの第２実施例を適用した中継コネクタの斜視図。
【図４】図３の中継コネクタの配線状態を示す模式図。
【図５】本発明の中継コネクタの第３実施例を適用した中継コネクタの斜視図。
【図６】図５の中継コネクタの配線状態を示す模式図。
【符号の説明】
【００６２】
１  中継コネクタ
２  コネクタ本体
３、４  コネクタ嵌合部
５  取付脚部
６  係止頭
７、８  ストッパー
１０  ストッパー板部
１１  ストッパー収縮部
１２  発音部
２０  コネクタピン
３０、３１  ハーネス
３２、３３  コネクタ
４０  固定板
４１  係止穴
５０  中継コネクタ
５１  コネクタ本体
５２、５３、５４、５５  コネクタ嵌合部
５２ｐ、５３ｐ  コネクタピン
５６、５７  接続線
６０、６１、６４、６５  ハーネス
６２、６３、６６、６７  コネクタ
７０  中継コネクタ
７１  コネクタ本体
７２、７３、７４  コネクタ嵌合部
７２ｐ、７３ｐ、７４ｐ  コネクタピン
８０、８１、８２  ハーネス
８３、８４、８５  コネクタ
【図１】
2005267892.tif 000003
【図２】
2005267892.tif 000004
【図３】
2005267892.tif 000005
【図４】
2005267892.tif 000006
【図５】
2005267892.tif 000007
【図６】
2005267892.tif 000008